(57)【要約】【課題】鏡面表示が可能なモニタ装置において、電源オフの時は常に鏡面となることで落ち着かず、不快に感じる。【解決手段】本発明においてはディスプレイ１０の前面に鏡面フィルター２０を配置し、さらに前面に調光ガラス３０を配置して上記調光ガラス３０の透過率を制御することで上記ディスプレイ１０の電源オフ時の鏡面、非鏡面の選択が可能となる。従って、鏡面表示が可能なモニタ装置を設置した室内の状況に応じて適切な表示が可能であり、落ち着きのある空間を提供可能なモニタ装置を提供することができる。【選択図】  図２
2005321635.tif 000002
【特許請求の範囲】
【請求項１】
概略平面のプラズマディスプレイ装置におけるディスプレイの前面に配置され、ディスプレイ表示がオンの時は映像を透過表示し、ディスプレイ表示がオフの時は鏡面となる鏡面処理を施した鏡面フィルムを備えて鏡面表示が可能なモニタ装置において、
上記鏡面フィルムの前面側に光の透過率を制御可能な調光ガラスを具備し、
上記調光ガラスはＰＤＰモジュールの前面に強化ガラス製の光学フィルタを配置した上記光学フィルタとして構成され、
上記調光ガラスとＰＤＰモジュールとの対向面におけるいずれかに上記鏡面フィルムを貼り付けたことを特徴とするモニタ装置。
【請求項２】
各種の情報や映像を表示可能な情報表示部である概略平面のディスプレイと、上記ディスプレイの前面に配置され、ディスプレイ表示がオンの時は情報や映像を透過表示し、ディスプレイ表示がオフの時は鏡面となる鏡面処理層とを備えて鏡面表示が可能なモニタ装置において、上記鏡面処理層の前面側で光の透過率を制御可能な調光ガラスとを具備することを特徴とするモニタ装置。
【請求項３】
上記調光ガラスは、ＰＤＰモジュールの前面に強化ガラス製の光学フィルタを配置したプラズマディスプレイにおける、上記光学フィルタとして構成され、上記調光ガラスとＰＤＰモジュールとの対向面におけるいずれかに上記鏡面処理層を設けたことを特徴とする請求項２に記載のモニタ装置。
【請求項４】
上記調光ガラスは、バックライトユニットと制御基板と液晶パネルとから成るＬＣＤモジュールにおける前面に配置する光沢ガラスとして構成され、上記調光ガラスにおける上記液晶パネルとの対向面に鏡面処理層を設けたことを特徴とする請求項２に記載のモニタ装置。
【請求項５】
上記調光ガラスは、上記ディスプレイの前面への着脱が可能であることを特徴とする請求項１から請求項４のいずれかに記載のモニタ装置。
【請求項６】
上記調光ガラスを上記ディスプレイへ取り付けたときに、上記ディスプレイの輝度を上げる輝度調整回路を具備することを特徴とする、請求項５に記載のモニタ装置。
【請求項７】
上記調光ガラスは、枠部と、同枠部における上辺と下辺とから上記ディスプレイの側に向けて突出する調光ガラス側接続部とを有し、
上記ディスプレイは、上記調光ガラス側接続部と対面位置に脱着可能に接続するディスプレイ側接続部を有し、
上記調光ガラス側接続部と上記ディスプレイ側接続部は、それぞれの電気的に接続するコネクタ端子を有することを特徴とする請求項５または請求項６のいずれかに記載のモニタ装置。
【請求項８】
上記調光ガラスは、所定の電圧制御で透過率を制御する透過率制御回路を具備することを特徴とする請求項２から請求項７に記載のモニタ装置。
【請求項９】
上記ディスプレイは、ＣＲＴで構成されるとともにスポットキラー回路を有し、上記透過率制御回路は、上記スポットキラー回路と同期してスポットキラーの動作前に透過率を下げるように制御することを特徴とする請求項８に記載のモニタ装置。
【請求項１０】
上記透過率制御回路は、上記ディスプレイの画面の乱れ時に透過率を下げることを特徴とする、請求項８または請求項９のいずれかに記載のモニタ装置。
【請求項１１】
上記ディスプレイは、画面の乱れ時に動作するブルーバック制御回路を有し、
上記透過率制御回路は、上記ブルーバック制御回路の動作に同期して透過率を下げることを特徴とする、請求項１０に記載のモニタ装置。
【請求項１２】
上記ディスプレイは、テレビジョン受信チューナーを有し、
上記透過率制御回路は、同テレビジョン受信チューナーにおけるテレビジョン放送の受信時の非同期を検出して透過率を下げることを特徴とする、請求項１０に記載のモニタ装置。
【請求項１３】
上記ディスプレイは、部分的に黒画面を形成可能であり、
上記調光ガラスは、上記黒画面部分を透明にすることが可能であることを特徴とする請求項２から請求項１２のいずれかに記載のモニタ装置。
【請求項１４】
上記ディスプレイは、二画面のサイドバイサイド表示が可能であることを特徴とする請求項２から請求項１３のいずれかに記載のモニタ装置。
【請求項１５】
上記ディスプレイは、二画面のピクチャーインピクチャー表示が可能であることを特徴とする請求項２から請求項１４のいずれかに記載のモニタ装置。
【請求項１６】
上記鏡面処理層は、鏡面処理を施されたフィルムであることを特徴とする請求項２から請求項１５のいずれかに記載のモニタ装置。
【請求項１７】
上記鏡面フィルムは、上記調光ガラスにおける上記ディスプレイに面する側に貼り付けられることを特徴とする請求項２から請求項１６に記載のモニタ装置。
【請求項１８】
上記鏡面フィルムは、上記ディスプレイの表面に貼り付けられることを特徴とする請求項２から請求項１７に記載のモニタ装置。
【発明の詳細な説明】
【技術分野】
【０００１】
本発明は、モニタ装置に関し、特に、鏡面表示が可能なモニタ装置に関する。
【背景技術】
【０００２】
従来、電源がオンの時は映像を透過表示し、電源がオフの時は鏡面として作用するものとしては以下の技術がある。
まず、特開２００２−１２２８６０号公報では、液晶表示素子の前面に半透過型の偏光板を設け、照明手段がオフの時は、外光が半透過型偏光板にあたり、その外光は半透過型偏光板によって所定の量の光が反射されて、半透過型偏光板上に鏡面効果が発生する技術についての記載がある。
また、特開２００２−２２９４９４号公報では、情報表示部の電源がオフの時に鏡面として作用するハーフミラーを備えた、バックライトの点灯時に液晶表示部に各種情報を透過表示する一方、バックライトの消灯時に鏡面として作用するハーフミラーとしてのカバーついての記載がある。
また、特開２００３−２４１１７５号公報では、電源オン時には液晶画面として、そして電源オフ時には鏡面として作用する技術についての記載がある。
【特許文献１】特開２００２−１２２８６０
【特許文献２】特開２００２−２２９４９４
【特許文献３】特開２００３−２４１１７５
【発明の開示】
【発明が解決しようとする課題】
【０００３】
上記従来技術では以下の課題があった。
上記の技術をテレビジョン受像機に適用すると、上記テレビジョン受像機を見ていないときなど、電源オフの時は常に鏡面となることで落ち着かず、不快に感じることもある。上記特開２００２−１２２８６０号公報では、非鏡面とする手段は記載されておらず、電源オフ時は常に鏡面となる。特開２００２−２２９４９４号公報では、バックライトの消灯時に鏡面となるカバーとの記載はあるが、上記カバーの取り外しについての記載は無く上記消灯時には常に鏡面である。特開２００３−２４１１７５号公報においても、非鏡面とする手段については、特に記載されておらず、上記の技術では常に鏡面となり、上記の技術をテレビジョン受像機に適用すると落ち着かない。
本発明は以上の課題を解決するためのものであり、鏡面表示が可能なモニタ装置を設置した室内の状況に応じて適切な表示が可能で落ち着きのある空間を提供可能なモニタ装置を提供することを目的とする。
【課題を解決するための手段】
【０００４】
上記問題を解決する為に上記請求項２に記載の発明は、各種の情報や映像を表示可能な情報表示部である概略平面のディスプレイと、上記ディスプレイの前面に配置され、ディスプレイ表示がオンの時は情報や映像を透過表示し、ディスプレイ表示がオフの時は鏡面となる鏡面処理層とを備えて鏡面表示が可能なモニタ装置において、上記鏡面処理層の前面側で光の透過率を制御可能な調光ガラスとを具備することを特徴とする構成としている。
上記のように構成した請求項２の発明においては、上記概略平面のディスプレイの前面に上記鏡面処理層が配置され、さらに上記鏡面処理層の前面に上記調光ガラスを配置している。上記鏡面処理層は上記ディスプレイの表示がオンの時は非鏡面で、オフの時は鏡面となる。上記鏡面処理層の前面に上記調光ガラスが配置されることで、上記鏡面表示を調光ガラスの透過率を変化させることにより制御可能となる。
ここで上記ディスプレイの表示をオフにすると、本来であれば上記鏡面処理層により、上記ディスプレイの前面側に鏡面が生じるはずである。しかし、その前面に配置される調光ガラスの透過率を下げれば、当該調光ガラスを透過する光が減少し、鏡面にはならない。むろん、鏡面としたいときには上記調光ガラスの透過率を上げればよい。
【０００５】
また、上記鏡面処理層はハーフミラーであり、全面側からの入射光を反射して鏡面として機能する。このとき、背面側が暗いとより一層鏡面として機能するが、背面側が明るいと、背面側の明るい光が透過して正面側の反射光に勝り鏡面として機能しなくなる。
【０００６】
上記請求項２に記載の発明をプラズマディスプレイで実施した場合、請求項３の発明では、上記請求項２に記載の上記調光ガラスはＰＤＰモジュールの前面に強化ガラス製の光学フィルタを配置したプラズマディスプレイにおける、上記光学フィルタとして構成され、上記調光ガラスとＰＤＰモジュールとの対向面におけるいずれかに上記鏡面処理層を設けたことを特徴とする構成としている。
上記のように構成した請求項３の発明によれば、上記プラズマディスプレイを構成する上記強化ガラス製の光学フィルタを上記調光ガラスに置き換え、上記調光ガラスと上記ＰＤＰが対向する面のいずれかの面に鏡面処理を施す。このように、上記ＰＤＰの前面に上記鏡面処理層を配置し、さらにその前面に上記調光ガラスを配置した構成とする。
ここで、プラズマディスプレイは、その前面側に光学フィルタを配置して構成される。この光学フィルタを調光ガラスで構成するとともに、当該調光ガラスである光学フィルタとＰＤＰモジュールとの対向面のいずれかに鏡面処理層を配置しており、ディスプレイを非表示とした状態で光学フィルタである調光ガラスの透過率を下げれば、当該光学フィルタの背面側に位置する鏡面処理層が鏡面として機能しなくなる。また、同様にディスプレイを非表示とした状態で、今度は光学フィルタである調光ガラスの透過率を上げれば、当該光学フィルタの背面側に位置する鏡面処理層が鏡面として機能する。
【０００７】
また、請求項４の発明は、上記請求項２に記載の上記調光ガラスは、バックライトユニットと制御基板と液晶パネルとから成るＬＣＤモジュールにおける前面に配置する光沢ガラスとして構成され、上記調光ガラスにおける上記液晶パネルとの対向面に鏡面処理層を設けたことを特徴とする構成としている。
上記のように構成した請求項４の発明においては、上記ＬＣＤモジュールを構成する上記光沢ガラスを上記調光ガラスに置き換え、上記調光ガラスと上記液晶パネルの、対向する面のいずれかの面に鏡面処理を施す。このように、上記ディスプレイの前面に鏡面処理層を配置し、さらにその前面に上記調光ガラスを配置する構成とする。
一般に、ＬＣＤモジュールはプラズマディスプレイのような光学フィルタを有していないが、近年は審美性等の観点から前面側に光沢ガラスを装着することが多い。この光沢ガラスを調光ガラスで構成するとともに、当該調光ガラスにおける液晶パネルとの対向面に鏡面処理層を配置した状態で、ディスプレイを非表示として光沢ガラスである調光ガラスの透過率を下げれば、当該光沢ガラスの背面側に位置する鏡面処理層が鏡面として機能しなくなる。また、同様にディスプレイを非表示とし、今度は光沢ガラスである調光ガラスの透過率を上げれば、当該光沢ガラスの背面側に位置する鏡面処理層が鏡面として機能する。
【０００８】
請求項５の発明は、上記請求項１から請求項４のいずれかに記載の上記調光ガラスは、上記ディスプレイの前面への着脱が可能であることを特徴とする構成としている。
上記のように構成した請求項５の発明においては、上記調光ガラスは上記ディスプレイ前面で取り外しができる。
【０００９】
そこで、請求項６の発明は、請求項５に記載の上記調光ガラスを上記ディスプレイへ取り付けたときに、上記ディスプレイの輝度を上げる輝度調整回路を具備することを特徴とする構成としている。
上記のように構成した請求項６の発明においては、上記鏡面制御装置が上記ディスプレイに装着されると上記鏡面制御装置の装着を検出して上記ディスプレイ側に具備した輝度調整回路は上記ディスプレイの輝度を上げる。ここで、上記鏡面制御装置は鏡面処理層と調光ガラスから構成されており、上記鏡面処理層は入射光を透過光と反射光に分割する。そのため上記ディスプレイによる入射光は上記鏡面処理層を透過する際、減少する。しかし、本発明では、上記調光ガラスを上記ディスプレイに取り付けたときに上記ディスプレイの輝度を上げるため、このような減少分を補い、上記調光ガラスを取り付ける前と同様の輝度で表示することになる。
【００１０】
上記鏡面制御装置の具体的な構造として、請求項７の発明は、上記請求項５または請求項６に記載の上記調光ガラスは、枠部と、同枠部における上辺と下辺とから上記ディスプレイの側に向けて突出する調光ガラス側接続部とを有し、上記ディスプレイは、上記調光ガラス側接続部と対面位置に脱着可能に接続するディスプレイ側接続部を有し、上記調光ガラス側接続部と上記ディスプレイ側接続部は、それぞれの電気的に接続するコネクタ端子を有することを特徴とする構成としている。
上記のように構成した請求項７の発明においては、ディスプレイの大きさと略一致した略矩形の上記調光ガラスに鏡面処理を施し、その周囲に略矩形の枠部を備える。さらに、上記枠部の上辺と下辺から上記ディスプレイの側に向けて上記枠部に対し直角に上記調光ガラス側接続部が延設される。上下の上記調光ガラス側接続部を略コの字上に係止することで上記ディスプレイ前面に装着が可能となる。また、上記調光ガラス側接続部にはコネクタ端子が配置され、上記ディスプレイ側では上記調光ガラス側コネクタ端子と対になって嵌合するコネクタ端子が配置されている。上記コネクタにより上記鏡面制御装置は上記ディスプレイと電気的及び機構的に接続される。
【００１１】
上記調光ガラスの制御について、請求項８の発明は、上記請求項２から請求項７のいずれかに記載の上記調光ガラスは、所定の電圧制御で透過率を制御する透過率制御回路を具備することを特徴とする構成としている。
上記のように構成された請求項８の発明においては、上述の上記調光ガラスの透過率の制御を上記ディスプレイの内部回路に設けられた上記透過率制御回路にて行う。一般的に上記調光ガラスの透過率の変化は、上記調光ガラスの内部に配置された液晶分子に電圧をかけることにより液晶分子の向きを変え光の透過率を増減するものである。上記透過率制御回路は上記電圧を制御する。
【００１２】
請求項９の発明は、上記請求項８に記載の上記ディスプレイは、ＣＲＴで構成されるとともにスポットキラー回路を有し、上記透過率制御回路は、上記スポットキラー回路と同期してスポットキラーの動作前に透過率を下げるように制御することを特徴とする構成としている。
上記のように構成した請求項９の発明においては、上記ディスプレイの電源オフから上記スポットキラー動作を行う以前のタイミングで所定の信号を上記透過率制御回路に入力して上記調光ガラスの透過率を下げる。従って、上記調光ガラスは不透明となり、上記ディスプレイ上にスポットが現れる前に上記ディスプレイを覆い隠す。以上のように上記調光ガラスの不透明面で覆い隠してしまえば上記スポットが発生しても視認することはできない。
【００１３】
また、請求項１０の発明は、上記請求項８または請求項９のいずれかに記載の上記透過率制御回路は、上記ディスプレイの画面の乱れ時に透過率を下げることを特徴とする構成としている。
上記のように請求項１０の発明においては、テレビジョン受像機の選局等で上記ディスプレイが乱れた画面となるとき、上記ディスプレイの内部回路にてディスプレイ画面の乱れを検出する。すると上記透過率制御回路は上記調光ガラスの透過率を下げる。従って、上記透過率を下げれば上記調光ガラスは不透明となり、画面の乱れを不透明面で覆い隠す。
【００１４】
請求項１１の発明は、上記請求項１０に記載の上記ディスプレイは、画面の乱れ時に動作するブルーバック制御回路を有し、上記透過率制御回路は、上記ブルーバック制御回路の動作に同期して透過率を下げることを特徴とする構成としている。
上記の請求項１１の発明においては、上記ディスプレイでは画像の同期信号が得られないとき、特にテレビジョン受像機のチューナー選局時に乱れた受信映像を覆い隠す単色のＯＳＤ表示でブルーバックの機能がある。ここでは、画面の乱れを検出した上記ディスプレイ制御回路のマイコンがＯＳＤ回路へブルーバック制御信号を入力し、同時に上記透過率制御回路へ透過率制御信号を入力する。上記ＯＳＤ回路は所定の回路を介してディスプレイ上にブルーバック画面を生成し、上記透過率制御回路は上記調光ガラスへの電圧の印加をオフして上記調光ガラスの透過率を下げる。従って、上記透過率制御回路は上記ブルーバックの表示に同期して上記調光ガラスを不透明にする。
【００１５】
請求項１２の発明は、上記請求項１０に記載の上記ディスプレイは、テレビジョン受信チューナーを有し、上記透過率制御回路は、同テレビジョン受信チューナーにおけるテレビジョン放送の受信時の非同期を検出して透過率を下げることを特徴とする構成としている。
上記のように構成した請求項１２の発明においては、上記鏡面制御装置を有する上記ディスプレイを備えたテレビジョン受像機においてチューナー選局時に送信側からの同期信号が得られない場合に、上記ディスプレイの制御回路のマイコンは非同期の検出として上記透過率制御回路に透過率制御信号を出力する。上記透過率制御回路は上記調光ガラスへの電圧の印加をオフして上記調光ガラスの透過率を下げる。
【００１６】
請求項１３の発明は、上記請求項２から請求項１２に記載の上記ディスプレイは、部分的に黒画面を形成可能であり、上記調光ガラスは、上記黒画面部分を透明にすることが可能であることを特徴とする構成としている。
上記のように構成した請求項１３の発明においては、上記ディスプレイのＯＳＤ表示により上記ディスプレイを部分的に覆うことができる。上記の部分的に覆う領域を黒単色で形成すれば上記ディスプレイ上に部分的に黒画面が形成される。また、上記調光ガラスにおいては所定の大きさに区分された領域ごとに透過率の制御が可能であり、上記ディスプレイ上に黒表示された領域と同じ領域を透明表示することができる。このとき上記透明表示以外の領域は不透明であり、上記黒画面の領域だけが部分的に透明となる。
【００１７】
上述の上記ディスプレイの部分的な黒画面表示の手段を利用して、請求項１４の発明は、上記請求項２から請求項１３に記載の上記ディスプレイは、二画面のサイドバイサイド表示が可能であることを特徴とする構成としている。
上記のように構成した請求項１４の発明においては、上記ディスプレイに画像表示中、上記サイドバイサイドの表示パターンにより画像を表示できる。上記サイドバイサイドは上記ディスプレイ上の半分の画像領域に表示される第１の画像ともう一方の半分の画像領域に表示される第２の画像から構成されており、同一ディスプレイ上に二画面表示できる機能である。例えば、上記ディスプレイ上に上記二画面表示で一方の画像を表示せずに上記黒画面表示をする。そして、上記黒画面表示した領域だけを鏡面とする使い方が可能である。
【００１８】
また請求項１５の発明は、上記請求項２から請求項１４に記載の上記ディスプレイは、二画面のピクチャーインピクチャー表示が可能であることを特徴とする構成としている。
上記のように構成した請求項１５の発明においては、上記ディスプレイに画像表示中、上記ピクチャーインピクチャーの表示パターンにより画像が表示できる。上記ピクチャーインピクチャーは上記ディスプレイ全面の画像領域に表示される第１の画像と上記第１の画像内の一部の画像領域に表示される第２の画像から構成されており、同一ディスプレイ上に二画面表示できる機能である。例えば、上記ディスプレイ上に上記二画面表示し、上記一部の画像領域である第２の画像を表示せずに上記黒画面表示する。そして、上記黒画面表示した領域だけを鏡面とする使い方が可能である。
【００１９】
上記鏡面制御装置における鏡面処理層について、請求項１６の発明は、上記請求項２から請求項１５に記載の上記鏡面処理層は、鏡面処理を施されたフィルムであることを特徴とすることを特徴とする構成としている。
上記のように構成した請求項１６の発明においては、上記鏡面制御装置に鏡面処理層を設ける際、鏡面処理が施されたフィルムを貼り付けることで鏡面処理層を設けられる。
【００２０】
請求項１７の発明は、上記請求項２から請求項１６に記載の上記鏡面フィルムは、上記調光ガラスにおける上記ディスプレイに面する側に貼り付けられることを特徴とする構成としている。
上記のように構成した請求項１７の発明においては、上記調光ガラスに上記鏡面フィルムを貼り付け、上記鏡面フィルム面を上記ディスプレイ側にして上記ディスプレイに取り付ける。
【００２１】
また、請求項１８の発明は、上記請求項２から請求項１７に記載の上記鏡面フィルムは、上記ディスプレイの表面に貼り付けられることを特徴とする構成としている。
上記のように構成した請求項１８の発明においては、上記ディスプレイの表面に上記鏡面フィルムを貼り付ける。
【００２２】
ここで、請求項１は、概略平面のプラズマディスプレイ装置におけるディスプレイの前面に配置され、ディスプレイ表示がオンの時は映像を透過表示し、ディスプレイ表示がオフの時は鏡面となる鏡面処理を施した鏡面フィルムを備えて鏡面表示が可能なモニタ装置において、上記鏡面フィルムの前面側に光の透過率を制御可能な調光ガラスを具備し、上記調光ガラスはＰＤＰモジュールの前面に強化ガラス製の光学フィルタを配置した上記光学フィルタとして構成され、上記調光ガラスとＰＤＰモジュールとの対向面におけるいずれかに上記鏡面フィルムを貼り付けたことを特徴とする構成としており、請求項１はプラズマディスプレイにおいて上記請求項２から請求項１８までの手段と作用を総合したものと言える。
【発明の効果】
【００２３】
以上説明したように、請求項１にかかる発明によれば、電源オフ時の鏡面表示のオンオフが可能なプラズマディスプレイを提供することができる。
請求項２および請求項８にかかる発明によれば、調光ガラスを制御することで、ディスプレイ電源オフ時の鏡面、非鏡面の選択が可能となる。
上記の鏡面、非鏡面の選択を、請求項３にかかる発明により、プラズマディスプレイにて実施することができる。また、請求項４にかかる発明により、ＬＣＤにおいても実施可能となる。
請求項５にかかる発明によれば、鏡面制御機能を便宜取り外すことが可能となり、ディスプレイ単体でも使用できる。また持ち運びも可能であるので、ディスプレイの大きさが概略一致していれば別のディスプレイへの装着が可能である。また、請求項６にかかる発明によれば、着脱可能な鏡面制御装置がディスプレイに取り付けられたときは輝度を上げ、着脱前後での視覚的な違和感を無くすことができる。さらに、請求項７にかかる発明によれば、ディスプレイに装着するだけで鏡面制御機能を利用できる。
請求項９にかかる発明によれば、ＣＲＴディスプレイにおける、電源オフ時の不快感を無くす効果がある。また、請求項１０から請求項１２にかかる発明によれば、特に、テレビジョン受像機のチューナー選局時の乱れた受信映像による不快感を無くす効果がある。
請求項１３から請求項１５にかかる発明によれば、部分的な鏡面表示で全面が鏡であるときに比べ不快感は減少する。また、ディスプレイの鏡面化のバリエーションが広がる。
請求項１６から請求項１８にかかる発明によれば、ディスプレイや調光ガラスへ鏡面処理を施す際フィルムの貼り付けで済み作業性が良い。また、蒸着する必要が無くなる。
【発明を実施するための最良の形態】
【００２４】
ここでは、下記の順序に従って本発明の実施の形態について説明する。
（１）第一実施形態：
（２）第二実施形態：
（３）第三実施形態：
（４）まとめ：
（１）第一実施形態：
【００２５】
図１は本実施形態にかかる鏡面制御装置を備えたテレビジョン受像機の概略構成を示したブロック図である。本実施形態では、二画面表示機能に対応するためチューナａ４１とチューナｂ４２のダブルチューナーを備える。同図において鏡面制御装置を備えたテレビジョン受像機は、概略、透過率制御回路３１と、マイコン４０と、電源回路５０と、調光ガラス用トランス５０ａと、チューナ４１，４２と、クロマＩＣ４３，４４と、ディスプレイ駆動回路４５と、ＯＳＤ回路４６とから構成されている。なお、以下の説明では音声信号についての記述を省略する。
同図において、チューナ４１，４２はアンテナ４１ａ，４２ａを介してテレビ放送帯域に対応した所望周波数のテレビジョン信号を受信するとともに、この受信したテレビジョン信号から所要の信号だけを選択して高周波増幅し、中間周波信号に変換して出力する。
上記チューナ４１，４２から出力された中間周波信号がクロマＩＣ４３，４４に入力されると、上記クロマＩＣ４３，４４は、入力された中間周波信号に各種の信号処理を施すことで合成映像信号を復元し、映像信号等を抽出してディスプレイ駆動回路４５に出力する。上記ディスプレイ駆動回路４５は、映像信号に対し画質調整等を行うと共にＯＳＤ回路４６からのＯＳＤ信号などを付加してディスプレイ１０に出力する。
上記電源回路５０内の上記調光ガラス用トランス５０ａは家庭用のＡＣ電源を調光ガラス駆動用ＤＣ電源に変換し、透過率制御回路３１を介して調光ガラスに電源を供給する。
上記各デバイスにはマイコン４０が接続されており、このマイコン４０は操作パネル４０ａやリモコンＩ／Ｆ４０ｂなどで実行された操作に基づいてＩＩＣバス６０を介して各デバイスに制御指示を与え装置全体の制御を行っている。また、電源回路５０は各デバイスに電力供給を行っている。
【００２６】
図２は本実施形態の大画面でフラットなテレビジョン受像機におけるディスプレイ部分の構成を示す概略斜視図である。上記ディスプレイ部分はディスプレイ１０と、鏡面処理層（鏡面フィルム）２０と、調光ガラス３０とから構成されている。上記鏡面処理層（鏡面フィルム）２０は鏡面処理を施したフィルムで、上記調光ガラス３０の裏面に貼付されている。上記鏡面フィルム２０を貼り付けた上記調光ガラス３０は、上記鏡面フィルム２０側を上記ディスプレイ１０側にして上記ディスプレイ１０の前面に配置されている。また、上記調光ガラス３０は電源インターフェイスと制御用インターフェイスを備えており、図示しないフラットケーブル等を介して上記ディスプレイ１０の制御回路基板上に電気的に接続している。上記制御回路基板上には、後述する上記調光ガラス３０の透過率制御回路３１が備えられており、当該透過率制御回路３１は上記調光ガラス３０の透過率を制御する。
【００２７】
上記鏡面処理フィルム２０は、上記ディスプレイ１０の電源がオンの時にディスプレイ表示による入射光により情報や映像を透過表示する。しかし、上記ディスプレイ１０の電源がオフの時は上記入射光が無くなるため光は透過せず、鏡面となる。また、一般に上記調光ガラス３０は、液晶シートと中間膜と板ガラスからなり、上記液晶シートの両面を上記中間膜で挟み、さらにその両面を上記板ガラスで挟んだ構成となっている。また、上記液晶シートは液晶を２枚のリード線付きの導電膜で挟んだ構成となっている。通常、上記液晶シートの液晶分子は不規則に並んで光を拡散し不透明状態となっているが、上記導電膜に設けられたリード線を介して上記導電膜間の液晶に電圧を印加すると、上記液晶シートの液晶分子が整列して光を透過する。そして、当該調光ガラス３０は透明に変化する。このように、上記調光ガラス３０は光の透過率を電圧で制御可能である。
【００２８】
上記調光ガラス３０の電圧制御は上記透過率制御回路３１によって行われる。図１において、上記透過率制御回路３１は上記ディスプレイ１０の制御回路の制御マイコン４０に接続されており、上記マイコン４０には操作パネル４０ａとリモコンＩ／Ｆ４０ｂが接続されている。ここで、上記ディスプレイ１０の表示パターンを指示する信号が上記操作パネル４０ａ及びリモコンＩ／Ｆ４０ｂから上記マイコン４０に入力される。上記マイコン４０は上記指示に応じた上記調光ガラス３０の透過率を制御する信号を上記透過率制御回路３１へ出力する。上記透過率制御回路３１は、入力した信号に基づいて調光ガラス用トランス５０ａより供給される上記調光ガラス３０への印加電圧のオンオフを行ない、上記調光ガラス３０の透過率を制御する。
【００２９】
次に、上記鏡面フィルム２０と上記調光ガラス３０の性質を利用した上記ディスプレイ１０の表示パターンについて説明する。図３は本発明にかかる上記ディスプレイの表示パターンを示す図である。まず、上記ディスプレイ１０で映像表示をさせる場合は上記ディスプレイ１０の電源をオンし、上記調光ガラス３０への印加電圧をオンとして透過率を上げ透明とする。すると、上記ディスプレイ１０に表示された映像は上記鏡面フィルム２０を透過し、さらに、上記調光ガラス３０を透過する。従って、上記ディスプレイ１０に表示された映像を観察することができる。
上記ディスプレイ１０を鏡面とする場合は上記ディスプレイ１０の電源をオフ、上記調光ガラス３０への印加電圧をオンとして透過率を上げ透明とする。すると、上記ディスプレイ１０からの入射光が無くなるため上記鏡面フィルム２０は光を透過させずに鏡面となる。さらに、上記調光ガラス３０も透明なので鏡面は透過し上記ディスプレイ１０を鏡面とすることができる。
また、上記ディスプレイ１０の電源がオフで上記ディスプレイ１０を鏡面としない場合は、上記調光ガラス３０への印加電圧をオフとして透過率を下げ不透明とする。すると、上記鏡面フィルム２０の作用による鏡面は上記調光ガラス３０の不透明面で覆い隠され、上記ディスプレイ１０を非鏡面することができる。
なお、上記ディスプレイ１０で映像表示をさせない場合は上記ディスプレイ１０の電源をオンし、上記調光ガラス３０への印加電圧をオフとして透過率を下げ不透明とする。すると、上記ディスプレイ１０に表示された映像は上記鏡面フィルム２０を透過するが、上記調光ガラス３０の不透明面で覆い隠される。従って、上記ディスプレイ１０に表示された映像を観察することができない。しかし、テレビジョン受像機等に適用していれば音声のみを聞くことができる。
【００３０】
ここで、上記ディスプレイ１０のＯＳＤ表示について説明する。上記ディスプレイ１０にて映像表示中に操作パネル４０ａ及びリモコンＩ／Ｆ４０ｂにてＯＳＤ表示を実行する操作を行うと、マイコン４０が上記ＯＳＤ表示を実行する信号を検知してＯＳＤ回路４６にＯＳＤ生成信号を出力する。すると、上記指示に応じてＯＳＤ回路４６はＯＳＤ信号を生成し、上記ＯＳＤ信号を上記ディスプレイ駆動回路４５へ出力する。上記ディスプレイ駆動回路４５では上記ＯＳＤ信号に所定の信号処理を施し、ＯＳＤ表示をディスプレイ１０上の映像信号に重ね合わせて出力する。
上記ＯＳＤ表示は単色でディスプレイ全体を覆うことが可能であり、また、本実施形態では乱れた映像を覆い隠す単色のＯＳＤ表示でブルーバックの機能を備えている。上記テレビジョン受像機において、チューナ４１，４２による選局時に所望の放送局の周波数に受信周波数を一致させるまでの間はテレビジョン信号が受信されないため、本来であればディスプレイ１０に乱れた映像が映し出されることになる。これを防止するため、選局動作中は上記ＯＳＤ信号に基づくブルーバック画を乱れた映像に重ね合わせることにより、ディスプレイ１０上における見苦しい受信映像の視認を防いでいる。
【００３１】
本実施形態では、操作パネル４０ａ及びリモコンＩ／Ｆ４０ｂで上述の乱れた映像への重畳方法をブルーバック表示と調光ガラス３０の不透明表示から選択できる。ここで、上記ブルーバック動作と上記調光ガラス３０の同期動作のフローチャートを図４に示す。同図において、アンテナ４１ａを介してチューナａ４１にて選局動作中にクロマＩＣａ４３にて非同期信号を検出したか否かを判別する（ステップＳ１００）。非同期を検出したと判別した場合、マイコン４０はＯＳＤ回路４６にブルーバック画面を生成するための制御信号を入力する。すると、ディスプレイ駆動回路４５にＯＳＤ信号が入力され、ディスプレイ駆動回路４５は、クロマＩＣａ４３からの乱れた画像にブルーバック画面を重畳し、結果として全面がブルーとなるブルーバック画面をディスプレイ１０に表示させる。（ステップＳ１１０）。また、調光ガラス３０を不透明にする選択がされているか否かを判別し（ステップＳ１２０）、不透明の選択がされていた場合はマイコン４０が透過率制御回路３１へ透過率を下げる信号を出力する。すると、透過率制御回路３１は調光ガラス３０への印加電圧をオフし、調光ガラス３０は不透明となる（ステップＳ１３０）。また、上記ステップＳ１００にて非同期を検出しなかった、すなわち同期信号を検出した場合と、上記ステップＳ１２０にて不透明の選択がされていない場合は何もすることなく本ブルーバック同期動作を終了する。このようにブルーバックの動作と同期して調光ガラス３０を不透明にし、選局動作中の乱れた映像を調光ガラス３０で覆い隠すことが可能となる。
【００３２】
上記ＯＳＤ表示と上記調光ガラス３０の作用を利用して上記ディスプレイ１０を部分的に鏡面とする例を説明する。上記ディスプレイ１０で映像表示中にＯＳＤ表示により黒単色でディスプレイ１０上の所定の領域を覆うと、上記黒表示された領域は鏡面フィルム２０の作用により遮光状態となり鏡面となる。このとき上記調光ガラス３０は透明とすることで上記ディスプレイの画面上の一部分を鏡面として利用することが可能となる。
さらに、上記調光ガラス３０を構成する、上記導電膜を所定の大きさに区分され各区分ごとに透過率制御が可能な上記液晶シートでは、上記透過率制御回路３１により上記ディスプレイ１０上の所定の領域だけを透明または不透明にすることが可能となる。よって、上記ディスプレイ１０の電源がオフして鏡面フィルム２０の作用で上記ディスプレイ１０が全面鏡となっている場合、上記調光ガラス３０を部分的に透明表示し上記透明表示部以外を不透明とすることが可能であり、また、好みの大きさの鏡面を上記ディスプレイ上に形成することが可能となる。
【００３３】
ここで、二画面表示機能を備えている本実施形態にかかるテレビジョン受像機において、上述の上記ディスプレイ１０の映像表示中のＯＳＤによる黒表示を利用して上記ディスプレイ１０を部分的に鏡面表示する例を説明する。
上記二画面表示機能は、図１に示すチューナａ４１，チューナｂ４２が受信した異なった所望周波数のテレビジョン信号をクロマＩＣａ４３，クロマＩＣｂ４４を介し２つの異なる映像信号としてディスプレイ駆動回路４５が受け、上記ディスプレイ駆動回路４５はこれらを合成して上記ディスプレイ１０の所定の主画像領域に表示される第１の画像と、上記主画像領域以外の領域である副画像領域に表示される第２の画像とを含む信号を生成し、同一ディスプレイ１０上に二画面を表示する機能である。
【００３４】
上述の二画面表示においては同一ディスプレイ上の右半分と左半分にそれぞれ異なった映像を表示するサイドバイサイドの表示パターンがある。
図５（ａ）に示すように、上記ディスプレイ１０には上記サイドバイサイドの表示パターンにより上記ディスプレイ１０の左半分の領域１１ａに上記第１の画像が表示され、右半分の領域１１ｂには上記第２の画像が表示される。ここで、利用者は操作パネル４０ａまたはリモコンＩ／Ｆ４０ｂにより左半分１１ａを鏡面とする信号を入力する。上記信号はマイコン４０に入力される。上記マイコン４０はＯＳＤ生成信号をＯＳＤ回路４６に出力し、上記ＯＳＤ回路はディスプレイ駆動回路４５にＯＳＤ信号を入力する。上記ディスプレイ駆動回路４５は、クロマＩＣａ４３から受け取った第１の映像信号に黒色のＯＳＤ表示を重畳しディスプレイ１０に出力する。
この結果、上記ディスプレイ１０上では左半分１１ａがＯＳＤにより全面黒表示となるが、右半分１１ｂはそのまま第２の映像が表示されている。すると、上記黒表示された左半分の領域１１ａは遮光状態となり鏡面フィルタ２０の作用により鏡面となる。また、上記ディスプレイ駆動回路４５にてクロマＩＣａ４４からの第２の映像信号にＯＳＤを重畳し出力すれば、上記ディスプレイ１０の第２の画像が表示される右半分の画像領域１１ｂはＯＳＤで黒表示され鏡面フィルタ２０の作用により鏡面となる。このとき、上記左半分の画像領域１１ａには第１の映像が表示される。
【００３５】
同様に、二画面表示の他の態様として同一ディスプレイ上の全面の主画像領域と上記領域上の一部分である副画像領域とにそれぞれ異なった映像を表示するピクチャーインピクチャーの表示パターンがある。
図５（ｂ）に示すように上記ディスプレイ１０には上記ピクチャーインピクチャーの表示パターンにより上記ディスプレイ１０の全面の上記主画像領域１２ａには第１の映像が表示され、上記主画像領域１２ａ上の一部の上記副画像領域１２ｂには第２の映像が表示されている。ここで、利用者は操作パネル４０ａまたはリモコンＩ／Ｆ４０ｂにより一部の上記副画像領域１２ｂを鏡面とする信号を入力する。上記信号はマイコン４０に入力される。上記マイコン４０はＯＳＤ生成信号をＯＳＤ回路４６に出力し上記ＯＳＤ回路はディスプレイ駆動回路４５にＯＳＤ信号を入力する。上記ディスプレイ駆動回路４５は、クロマＩＣｂ４４から受け取った第２の映像信号に黒色のＯＳＤを重畳しディスプレイ１０に出力する。
この結果、上記ディスプレイ１０上では一部分の副画像領域１２ｂがＯＳＤにより黒表示となるが、上記ディスプレイ１０全面の上記主画像領域１２ａはそのまま映像表示されている。すると、上記黒表示された一部分の副画像領域１２ｂは遮光状態となり鏡面フィルタ２０の作用により上記ディスプレイ１０上で部分的に鏡面となる。また、上記ディスプレイ駆動回路４５にてクロマＩＣａ４４からの第１の映像信号にＯＳＤを重畳し出力すれば、上記ディスプレイ１０全面の上記主画像領域１２ａは黒表示となり鏡面となる。このとき、上記鏡面上の一部分となる上記副画像領域１２ｂには上記第２の映像が表示される。このようにピクチャーインピクチャーの機能を利用して上記大きさの異なる二つの画像領域１２ａ，１２ｂのいずれかを鏡面とすることができる。
上述のＯＳＤによる黒表示領域の選択は操作パネル４０ａまたはリモコンＩ／Ｆ４０ｂにて操作可能である。
以上のように、上記鏡面制御装置により上記鏡面フィルタ２０と上記調光ガラス３０の作用を利用して鏡面表示のバリエーションを広げることが可能となる。
【００３６】
以上のように、上述のディスプレイ１０と鏡面フィルタ２０と調光ガラス３０の構成であればプラズマディスプレイで本発明を適用することが可能である。図６に示すように、上記プラズマディスプレイは、概略、ＰＤＰモジュール１１０と強化ガラス製の光学フィルタ１３０で構成される。この上記強化ガラス製の光学フィルタ１３０を上記調光ガラス１３０ａに置き換え、上記調光ガラス１３０ａと上記ＰＤＰが対向する面のいずれかの面に鏡面フィルム１２０を貼り付ける。そして、上記調光ガラス１３０ａは電源及び制御用インターフェイスを備えており、図示しないフラットケーブル等により上記ＰＤＰモジュール１１０の制御回路基板上に電気的に接続している。このように、上記ＰＤＰモジュール１１０の前面に上記鏡面フィルム１２０を配置し、さらにその前面に上記調光ガラス１３０ａを配置した本発明と同様の構成とすることができる。
【００３７】
同様に、ＬＣＤでも本発明を適用することが可能である。図７に示すように、上記ＬＣＤは、概略、バックライトユニットと制御基板と液晶パネルからなるＬＣＤモジュール２１０ａと、上記液晶パネルの前面に配置された光沢ガラス２３０と、上記ＬＣＤモジュール２１０ａと光沢ガラス２３０の周囲を覆う枠部のＬＣＤモジュールフレーム２１０ｂから構成される。この上記光沢ガラス２３０を上記調光ガラス２３０ａに置き換える。そして、上記調光ガラス２３０ａと上記液晶パネルの、対向する面のいずれかの面に鏡面フィルム２２０を貼り付ける。上記調光ガラス２３０ａは電源及び制御用インターフェイスを備えており、図示しないフラットケーブル等により上記ＬＣＤモジュール２１０ａの制御回路基板上に電気的に接続している。このように、上記液晶パネルの前面に鏡面フィルム２２０を配置し、さらにその前面に上記調光ガラス２３０ａを配置する本発明と同様の構成とすることができる。
（２）第二実施形態：
【００３８】
図８は本実施形態にかかる着脱機構の概略斜視図である。本実施形態では上記第一実施形態における図示しない鏡面処理層と調光ガラスと、ディスプレイ３１０の制御基板上に備えられた上記調光ガラスの透過率制御回路へ接続するためのコネクタ３３０ａから構成される鏡面制御装置３３０が、着脱可能となる実施例を説明する。
【００３９】
上記ディスプレイ３１０の大きさと略一致した略矩形の上記調光ガラスに鏡面処理を施し、その周囲に略矩形の枠部３３０ｂを備える。さらに、上記枠部３３０ｂの上辺と下辺から上記ディスプレイ３１０の側に向けて、上記枠部３３０ｂに対し直角に上記調光ガラス側接続部３３０ｃ，３３０ｄが延設される。上記調光ガラス側接続部３３０ｃの上方側には略矩形の突起部３３０ａが下向きに配設されており、上記突起部３３０ａには上記調光ガラスの所定の制御用インターフェイスと電源インターフェイスが備えられている。一方、上記ディスプレイ３１０側ではディスプレイ３１０上部の上記突起部３３０ａに相当する位置に略矩形状の凹み３１０ａが設けられ、その底面部には上記調光ガラス側コネクタ端子と対になって嵌合するコネクタ端子が上向きに配置されている。従って、上記鏡面制御装置３３０は、上記調光ガラス側接続部３３０ｃの上方側に設けられた矩形状の突起部３３０ａを上記ディスプレイ３１０上部に設けられた凹部３１０ａに挿入して上記ディスプレイ３１０と電気的及び機構的に接続される。また、上記凹部３１０ａは図示しないフタを有している。そして、未使用時には上記フタにより上方に開口した開口部を塞ぎ、上記ディスプレイ３１０単体で使用する場合のゴミの進入を防止し、外観上の違和感を軽減する。さらに、上記枠部３３０ｂの下方には、図示しない下方向に可動な機構とスプリング機構が備えられており、下方に枠部３３０ｂを延ばすことが可能となっている。そして、上記鏡面制御装置３３０は上下の上記調光ガラス側接続部３３０ｃ，３３０ｄを略コの字状に係止することで、上記ディスプレイ３１０前面に装着が可能となる。
【００４０】
ここで、上述の鏡面処理層は入射光を透過光と反射光に分割するため、上記鏡面処理層の有無で上記ディスプレイ３１０の輝度が変化する。すなわち、上記ディスプレイ３１０の電源をオンしたとき、上記ディスプレイ３１０で設定した輝度で映像が表示されるが、上記鏡面処理層を上記ディスプレイ３１０の前面に配置すると、輝度は下がり表示される映像の視認性が悪くなる。従って、本実施形態のように上記鏡面処理層を含む上記鏡面制御装置３３０が、上記のように着脱可能であれば、装着時と脱時で上記ディスプレイ３１０を観察したときの輝度が変化してしまう。
【００４１】
このため本実施形態では上記鏡面制御装置３３０の上記ディスプレイ３１０への着脱状態を判断し、装着時には上記ディスプレイ３１０の輝度を上げている。このような機能を実現するため、本実施形態では図８に示すコネクタ３３０ａ内に上記鏡面制御装置３３０の着脱を検出する図示しない着脱検出回路と、この着脱検出回路の結果に応じて上記ディスプレイ３１０の輝度を変化させる輝度調整回路とを有している。
ここで上記輝度調整回路は、上記着脱検出回路が上記鏡面制御装置３３０の取り付けを検出したときに上記ディスプレイ３１０の輝度を上げるように制御し、上記鏡面制御装置３３０の取り外しを検出したときに上記ディスプレイ３１０の輝度を下げるように制御する。
上記手段として、上記鏡面制御装置３３０を、電源インターフェイスと制御用インターフェイスを備えたコネクタ３３０ａによって上記ディスプレイ３１０と接続する。上記コネクタ３３０ａが上記ディスプレイ３１０に接続されると、上記ディスプレイ３１０側の着脱検出回路で、上記鏡面制御装置３３０の装着を検出し、上記ディスプレイ側に具備した、輝度調整回路で上記ディスプレイの輝度を上げることが可能となる。また、上記鏡面制御装置３３０を上記ディスプレイ３１０から取り外した場合には、上記着脱検出回路により上記鏡面制御装置３３０の脱状態を検出し、上記輝度調整回路で上記ディスプレイ３１０の輝度を下げることが可能である。このように、鏡面制御装置３３０着脱前後の上記ディスプレイの輝度の変化による視覚的な違和感を無くすことが可能となる。
（３）第三実施形態：
【００４２】
図９は本実施形態にかかる鏡面制御装置を備えたＣＲＴディスプレイの概略構成を示したブロック図である。同図の符号下２桁と一致する図１の符号が振られた箇所は共通の構成であるのでここでは説明を省略する。
同図においてチューナ４４１から出力された中間周波信号がクロマＩＣ４４３に入力されると、上記クロマＩＣ４４３は、入力された中間周波信号に各種の信号処理を施すことで合成映像信号を復元し、映像信号等を抽出して映像信号に対し画質調整等を行うと共にＯＳＤ回路４４６からのＯＳＤ信号などを付加してＣＲＴディスプレイ４１０に出力し映像を表示させる。高圧回路４４８ではＣＲＴディスプレイ４１０に印加するための高電圧を発生したり、あるいはその他の回路等で必要な高電圧を発生する。
【００４３】
また、上記ＣＲＴディスプレイ４１０の電源がオフになると上記ＣＲＴディスプレイ４１０の略中央にスポットが発生する。上記スポットに対して上記ＣＲＴディスプレイ４１０の制御回路では、ＣＲＴに残存する電荷を放出させるスポットキラー回路４４７を備えている。
【００４４】
ここでは、上記ＣＲＴディスプレイ４１０でのスポット発生時に調光ガラス４３０の透過率を下げて、上記調光ガラス４３０の不透明面で上記ＣＲＴディスプレイ４１０を覆いスポットを隠す実施形態を説明する。
上記ＣＲＴディスプレイ４１０の電源オフの操作が行われてからスポットキラー動作するまでの概略動作として、図１０に本実施形態にかかる上記調光ガラス４３０のスポットキラー同期動作のフローチャートを示す。同図において、マイコン４４０は操作パネル４４０ａまたはリモコンＩ／Ｆ４４０ｂにて電源オフの操作が行われた否かを判別する（ステップＳ２００）。電源オフ操作が行われたと判別した場合、上記マイコン４４０から透過率制御回路４３１に上記調光ガラス４３０への印加電圧オフ信号を出力する。すると、上記信号を入力した上記透過率制御回路４３１は上記調光ガラス４３０への印加電圧をオフして透過率を下げ不透明とする（ステップＳ２１０）。また、上記マイコン４４０はスポットキラー制御信号を出力する（ステップＳ２２０）。スポットキラー制御信号は上記スポットキラー回路４４７に入力されスポットキラー動作する（ステップＳ２３０）。そして、所定時間後に電源オフとなり（ステップＳ２４０）、スポットキラー同期動作を終了する。
【００４５】
上述したように、上記マイコン４４０は上記ディスプレイ４１０の電源オフから上記スポットキラー回路４４７が上記スポットキラー動作を行う以前に、上記透過率制御回路４３１を動作可能なタイミングで所定の制御信号を上記透過率制御回路４３１に入力する。上記透過率制御回路４３１は上記調光ガラス４３０に印可する電圧をオフし上記調光ガラス４３０の透過率を下げて不透明にすると、上記調光ガラス４３０は上記ディスプレイ４１０上にスポットが現れる前に確実にディスプレイ４１０を覆い隠す。
（４）まとめ：
【００４６】
以上説明したように、本発明においてはディスプレイ１０の前面に鏡面フィルター２０を配置し、さらに前面に調光ガラス３０を配置して上記調光ガラス３０の透過率を制御することで上記ディスプレイ１０の電源オフ時の鏡面、非鏡面の選択が可能となる。従って、鏡面表示が可能なモニタ装置を設置した室内の状況に応じて適切な表示が可能であり、落ち着きのある空間を提供可能なモニタ装置を提供することができる。
【図面の簡単な説明】
【００４７】
【図１】鏡面制御装置を備えたテレビジョン受像機の概略構成を示したブロック図である。
【図２】第一実施形態にかかるディスプレイ部の概略斜視図である。
【図３】第一実施形態にかかるディスプレイの表示パターンを示す図である。
【図４】第一実施形態にかかるブルーバック同期動作のフローチャートである。
【図５】第一実施形態にかかるディスプレイ表示パターンの概略図である。
【図６】第一実施形態にかかるプラズマディスプレイの概略斜視図である。
【図７】第一実施形態にかかるＬＣＤの概略斜視図である。
【図８】第二実施形態にかかる着脱機構の概略斜視図である。
【図９】鏡面制御装置を備えたＣＲＴディスプレイの概略構成を示したブロック図である。
【図１０】第三実施形態にかかるスポットキラー同期動作のフローチャートである。
【符号の説明】
【００４８】
１０…ディスプレイ
１１ａ，１２ａ…主画像領域
１１ｂ，１２ｂ…副画像領域
２０…鏡面フィルム（鏡面処理層）
３０…調光ガラス
３１…透過率制御回路
４０…マイコン
４０ａ…操作パネル
４０ｂ…リモコンＩ／Ｆ
４１…チューナａ
４２…チューナｂ
４１ａ，４２ａ…アンテナ
４３…クロマＩＣａ
４４…クロマＩＣｂ
４５…ディスプレイ駆動回路
４６…ＯＳＤ回路
５０…電源回路
５０ａ…調光ガラス用トランス
【図１】
2005321635.tif 000003
【図２】
2005321635.tif 000004
【図３】
2005321635.tif 000005
【図４】
2005321635.tif 000006
【図５】
2005321635.tif 000007
【図６】
2005321635.tif 000008
【図７】
2005321635.tif 000009
【図８】
2005321635.tif 000010
【図９】
2005321635.tif 000011
【図１０】
2005321635.tif 000012